(57)【要約】  本発明は、仮想光子触媒装置及びこの触媒装置を用いて触媒処理を行う方法に関する。前記触媒装置は、ケースと、矩形磁性体のＳＳ極、ＮＮ極によって対応する磁界中心の磁力線が形成される矩形磁性体セットと、磁界中心から対応する磁界エッジまでの磁力を増強するための磁力増強柱と、磁界を磁界中心から対応する磁界エッジに伝導して集中させ、両端と中心壁との接続箇所の間の角度が９０度よりも大きい導磁片とを含み、ケースに内蔵された触媒ユニットと、を備える。本発明は、両端と中心壁との接続箇所の間の角度が９０度よりも大きい導磁片により導磁するとともに、磁力増強柱により当該触媒装置の磁界中心から磁界エッジまでの磁界強度を向上させる。このような構造は、触媒処理の効率を向上させ、様々な物質の触媒反応だけでなく、分解又は重合反応の加速、農作物の生長、及び生活水処理の用途に広く適用可能である。【選択図】図１
2019525825.tif 000002
【特許請求の範囲】
【請求項１】
ケースと、
矩形磁性体のＳＳ極、ＮＮ極によって対応する磁界中心の磁力線が形成される矩形磁性体セットと、前記磁界中心から対応する磁界エッジまでの磁力を増強するための磁力増強柱と、磁界を前記磁界中心から前記対応する磁界エッジに伝導して集中させ、両端と中心壁との接続箇所の間の角度が９０度よりも大きい導磁片とを含み、前記ケースに内蔵された触媒ユニットと、
を備える仮想光子触媒装置。
【請求項２】
前記導磁片の両端と前記導磁片の中心壁との接続箇所の間の角度の範囲は、９１度〜１８０度の間であることを特徴とする請求項１に記載の触媒装置。
【請求項３】
前記導磁片の両端と前記導磁片の中心壁との接続箇所の間の好ましい角度は１４５度であることを特徴とする請求項２に記載の触媒装置。
【請求項４】
前記磁界中心の磁界は、ゼロに近づく傾向にあることを特徴とする請求項１に記載の触媒装置。
【請求項５】
ａ）送入パイプにより被触媒物質を受け取るステップと、
ｂ）矩形磁性体のＳＳ極、ＮＮ極によって対応する磁界中心の磁力線が形成される矩形磁性体セットと、前記磁界中心から対応する磁界エッジまでの磁力を増強するための磁力増強柱と、磁界を前記磁界中心から前記対応する磁界エッジに伝導して集中させ、両端と中心壁との接続箇所の間の角度が９０度よりも大きい導磁片とを含み、ケースに内蔵された触媒ユニットにより、前記触媒装置の磁力を増強するステップと、
ｃ）前記送入パイプと接続されている送出パイプによって触媒処理によって得られた物質を送り出すステップと、
を含む請求項１乃至４のいずれか１項に記載の仮想光子触媒装置を用いて触媒処理を行う方法。
【請求項６】
前記導磁片の両端と前記導磁片の中心壁との接続箇所の間の角度の範囲は、９１度〜１８０度の間であることを特徴とする請求項５に記載の方法。
【請求項７】
前記導磁片の両端と前記導磁片の中心壁との接続箇所の間の好ましい角度は１４５度であることを特徴とする請求項６に記載の方法。
【請求項８】
前記磁界中心の磁界は、ゼロに近づく傾向にあることを特徴とする請求項５に記載の方法。
【発明の詳細な説明】
【技術分野】
【０００１】
本発明は、触媒の技術分野に関し、具体的には、本発明は、仮想光子触媒装置及びこの触媒装置を用いて触媒処理を行う方法に関する。
【背景技術】
【０００２】
量子力学によれば、純磁界及び純電界は仮想光子による効果であると考えられる。論理的に、光子は、全ての電磁作用を表わすための媒体である。
【０００３】
従来の磁化装置の作動原理は、磁性体の平面磁界により磁化処理を行うことである。ルーチンの磁化装置は、互いに平行する棒状の永久磁石構造、又は円形の磁気柱で対応する隙間磁気空洞を構成したものである。
【０００４】
上記の磁化の方法は、装置により形成される磁界を合理的に利用することができない。磁界平面の磁界中心と磁界エッジの磁界強度が異なるので、磁界強度が被磁化に作用する利用率は異なり、そのため、磁化処理が不完全になり、化学反応の効率が低下し、磁化装置の使用効果が顕著ではない。
【発明の概要】
【０００５】
本発明の実施例は、触媒装置及びこの触媒装置を用いて触媒処理を行う方法を提供することを目的とする。当該触媒装置は、導磁片の両端と導磁片の中心壁との接続箇所の間の角度が９０度よりも大きい導磁片により導磁するとともに、磁力増強柱により当該触媒装置の磁界中心から磁界エッジまでの磁界強度を向上させ、導磁片の両端と導磁片の中心壁との接続箇所の間の角度の範囲は、９１度〜１８０度の間であり、好ましい角度は、１４５度である。上記のような構造は、触媒磁界強度及び触媒処理の効率を向上させ、エネルギーを節約する。
【０００６】
第１の側面によれば、本発明の実施例は、
ケースと、
矩形磁性体のＳＳ極、ＮＮ極によって対応する磁界中心の磁力線が形成される矩形磁性体セットと、磁界中心から対応する磁界エッジまでの磁力を増強するための磁力増強柱と、磁界を磁界中心から対応する磁界エッジに伝導して集中させ、両端と中心壁との接続箇所の間の角度が９０度よりも大きい導磁片とを含み、ケースに内蔵された触媒ユニットと、
を備える仮想光子触媒装置を提供する。
【０００７】
導磁片の両端と導磁片の中心壁との接続箇所の間の角度の範囲は、９１度〜１８０度の間であることが好ましい。
【０００８】
導磁片の両端と導磁片の中心壁との接続箇所の間の好ましい角度は１４５度であることが好ましい。
【０００９】
磁界中心の磁界は、ゼロに近づく傾向にあることが好ましい。
【００１０】
第２の側面によれば、本発明の実施例は、
ａ）送入パイプにより被触媒物質を受け取るステップと、
ｂ）矩形磁性体のＳＳ極、ＮＮ極によって対応する磁界中心の磁力線が形成される矩形磁性体セットと、磁界中心から対応する磁界エッジまでの磁力を増強するための磁力増強柱と、磁界を磁界中心から対応する磁界エッジに伝導して集中させ、両端と中心壁との接続箇所の間の角度が９０度よりも大きい導磁片とを含み、ケースに内蔵された触媒ユニットにより触媒装置の磁力を増強するステップと、
ｃ）送入パイプと接続されている送出パイプによって触媒処理によって得られた物質を送り出すステップと、
を含む第１の側面に記載の仮想光子触媒装置を用いて触媒処理を行う方法を提供する。
【００１１】
導磁片の両端と導磁片の中心壁との接続箇所の間の角度の範囲は、９１度〜１８０度の間であることが好ましい。
【００１２】
導磁片の両端と導磁片の中心壁との接続箇所の間の好ましい角度は１４５度であることが好ましい。
【００１３】
磁界中心の磁界は、ゼロに近づく傾向にあることが好ましい。
【００１４】
本発明で提供する触媒装置によれば、触媒ユニットの磁力増強柱は、磁界中心から対応する磁界エッジまでの磁力を増強するためのものであり、触媒ユニットの導磁片は、磁界を磁界中心から対応する磁界エッジに伝導して集中させ、導磁片の両端と導磁片の中心壁との接続箇所の間の角度が９０度よりも大きい。特に、導磁片の両端と導磁片の中心壁との接続箇所の間の角度は、９０度よりも大きい。上記のような構造は、触媒処理の効率を向上させ、被触媒物質の消費を減少させる。
【図面の簡単な説明】
【００１５】
【図１】本発明の実施例で提供する仮想光子触媒装置の構造模式図である。
【図２】本発明の実施例で提供する仮想光子触媒装置を用いて触媒する前後に燃費が回転速度につれて変化するグラフである。
【図３】導磁片の両端と導磁片の中心壁との接続箇所の間の好ましい角度が１４５度である場合の構造模式図である。
【図４】本発明の実施例で提供する当該仮想光子触媒装置を用いて触媒処理を行う方法のフロー模式図である。
【図５】本発明に係る触媒装置の実際的適用における構造模式図である。
【発明を実施するための形態】
【００１６】
本発明の実施例は、仮想光子触媒装置を提供し、その触媒ユニットにより磁界中心から対応する磁界エッジまでの磁力を増強し、触媒処理の過程が完成した後に、送出パイプによって対応する触媒処理による物質を送り出す。
【００１７】
以下、図式及び実施例により、本発明の技術方案をさらに詳しく説明する。
【００１８】
図１は、本発明の実施例で提供する仮想光子触媒装置である。当該装置は、ケース１０１と、触媒ユニット１０２と、送出パイプ（図１では図示せず）とを備える。
【００１９】
ケース１０１に内蔵された触媒ユニット１０２は、矩形磁性体のＳＳ極、ＮＮ極によって、対応する磁界中心の磁力線が形成される矩形磁性体セットと、磁界中心から対応する磁界エッジまでの磁力を増強するための磁力増強柱とを含み、導磁片は、磁界を磁界中心から対応する磁界エッジに伝導して集中させ、導磁片の両端と導磁片の中心壁との接続箇所の間の角度が９０度よりも大きく、導磁片は、特定の形状である。
【００２０】
特に、導磁片の両端と導磁片の中心壁との接続箇所の間の角度は９０度よりも大きいことを言明する。導磁片の両端と導磁片の中心壁との接続箇所の間の角度の範囲は、９１度〜１８０度の間であり、好ましい角度は１４５度である。上記のような構造は、触媒処理の効率を向上させ、被触媒物質の消費を減少させる。
【００２１】
送入パイプにより被触媒物質を受け取る。触媒ユニット内において被触媒物質に対して触媒処理を行い、触媒処理の過程が完成した後に、送入パイプと接続されている送出パイプによって触媒処理によって得られた物質を送り出す。
【００２２】
本発明に係る触媒装置は、磁界の仮想光子効果により、被触媒物質をエキシマー状態に転化させ、反応を十分に行わせることができる。本発明に係る触媒装置が適用する被触媒物質は、様々な化工品だけでなく、様々な民需用、工業用水処理、及び農業応用にも適用する。
【００２３】
触媒処理によって得られる物質はエキシマー状態の物質であることを説明すべきである。触媒処理によって得られる物質がエキシマー状態にあるので、それが燃えるときに、より十分に燃えることができ、物質の発熱量を大幅に向上させる。また、エキシマー状態の可燃性物質が極めて不安定であり、すぐに触媒処理されていない状態に戻るので、より好ましい触媒効果を得て、触媒効率をより高くするために、本発明の実施例で提供する仮想光子触媒装置が燃焼室の入り口に取り付けられ、触媒処理を行う。
【００２４】
ケース１０１は非導磁性の材料により製造できることを説明すべきである。触媒ユニット１０２の矩形磁性体セットにおける矩形磁性体のＳＳ極、ＮＮ極によって、対応する磁界中心の磁力線が形成され、矩形磁性体セットにおける矩形磁性体のＳＳ極又はＮＮ極が対向する場合に、磁界中心の磁力線はゼロに近づく。本発明の実施例で提供する仮想光子触媒装置の磁界中心の磁界はゼロに近づく傾向にあることを説明すべきである。
【００２５】
試験の結果から、触媒ユニット１０２における磁力増強柱により、各組の磁界中心からエッジまでの磁力を増加できることが証明されただけでなく、また、特に言明すべきなのは、触媒ユニット１０２が各組の磁界中心からエッジまでの磁力を増強できる導磁片をさらに含み、また、導磁片の両端と導磁片の中心壁との接続箇所の間の角度が９０度よりも大きいことである。導磁片の両端と導磁片の中心壁との接続箇所の間の角度の範囲は、９１度〜１８０度の間であり、好ましい角度は１４５度である。
【００２６】
触媒ユニット１０２における磁力増強柱、及び両端と中心壁との接続箇所の間の角度が９０度よりも大きく、かつ特定の形状を有する導磁片により、上記のような構造は、触媒処理の効率を向上させるだけでなく、被触媒物質の消費を減少させる。
【００２７】
触媒ユニット１０２における磁力増強柱及び特定の形状の導磁片により、磁力増強の範囲を２５％〜３５％の間にする。具体的に、触媒ユニット１０２の磁力増強柱及び特定の形状の導磁片は、各組の磁界中心からエッジまでの磁力を３０％増加することができる。具体的な磁力増強の方式は、ここで重複して述べない。
【００２８】
本発明の実施例で提供する触媒装置は、触媒反応をより十分にさせることができるので、当該触媒装置の触媒性能は良好である。
【００２９】
図２は、本発明の実施例で提供する仮想光子触媒装置を用いて触媒する前後に燃費が回転速度につれて変化するグラフである。図２に示すように、本発明の実施例で提供する仮想光子触媒装置を使用せずに触媒する場合に、燃費が回転速度につれて変化する曲線２０１は、相対的に緩やかであり、相対的に、燃費も大きい。さらに、本発明の実施例で提供する仮想光子触媒装置を使用して触媒する場合に、燃費が回転速度につれて変化する曲線２０２は、前の曲線２０１よりも急になり、相対的に、燃費も対応して減少する。
【００３０】
図２のグラフにおける回転速度の単位、及び燃費の単位は相対値であり、図２に単位を明示しないのは、燃費が回転速度につれて変化する傾向を示せばよいためであることを説明すべきである。
【００３１】
図２における２本の曲線を比較することで、発動機台にテストを行う燃費が回転速度につれて変化する曲線において、本発明の実施例で提供する仮想光子触媒装置を使用することで、燃費の曲線を少なくとも約２５％大幅に低減することが分かる。
【００３２】
さらに、試験データから分かるように、本発明の実施例で提供する仮想光子触媒装置において、触媒ユニットの磁力増強柱は、磁界中心から対応する磁界エッジまでの磁力を増強するためのものであり、触媒ユニットの導磁片は、磁界を磁界中心から対応する磁界エッジに伝導して集中させ、導磁片の両端と導磁片の中心壁との接続箇所の間の角度が９０度よりも大きい。特に、導磁片の両端と導磁片の中心壁との接続箇所の間の角度は、９０度よりも大きい。上記のような構造は、触媒処理の効率を向上させ、被触媒物質の消費を減少させる。
【００３３】
実際の適用において、当該触媒装置の触媒能力が強く、触媒効率が高いので、燃料が節約され、燃料の最大節油率は、最高で２９．１０％に達することができ、従来の触媒装置の最大節油率をはるかに超えた。本発明の実施例で提供する仮想光子触媒装置の触媒性能は、発動機試験台によりテストを行ったテストの結果、本発明の実施例で提供する仮想光子触媒装置を適用して発動機の燃料に対して触媒を行った後に、正常な回転速度で発動機の燃費が大幅に低減する傾向にあることを示すことを説明すべきである。
【００３４】
以上をまとめると、本発明の実施例で提供する仮想光子触媒装置は、様々な物質の触媒、重合反応以外にも、農作物の産量を向上させるために農作物の生産に適応することができ、健康に有益な弱アルカリ性の水を得るために生活用水の処理過程に適用することもできる。他の分野における具体的な適用実例は、前記燃料の適用実例に類似し、ここで重複して述べず、その対応部分の説明を参照する。
【００３５】
被触媒物質のエキシマー状態での安定性をさらに向上させるために、当該触媒ユニットは、被触媒物質がすぐに触媒処理が行われていない状態に戻ることを回避するように、できるだけ燃焼室の入り口寄りに取り付けるべきである。
【００３６】
図３は、導磁片の両端と導磁片の中心壁との接続箇所の間の好ましい角度が１４５度である場合の構造模式図である。図３に示すように、このときの導磁片の導磁効果は最も好ましい。
【００３７】
本発明の実施例で提供する触媒装置によれば、触媒ユニットの磁力増強柱は、磁界中心から対応する磁界エッジまでの磁力を増強するためのものであり、触媒ユニットの導磁片は、磁界を磁界中心から対応する磁界エッジに伝導して集中させ、導磁片の両端と導磁片の中心壁との接続箇所の間の角度が９０度よりも大きい。特に、導磁片の両端と導磁片の中心壁との接続箇所の間の角度は、９０度よりも大きい。上記のような構造は、触媒処理の効率を向上させ、被触媒物質の消費を減少させる。
【００３８】
図４は、本発明の実施例で提供する当該触媒装置を用いて触媒処理を行う方法のフロー模式図である。前記実施例で提供する触媒装置は、本発明の実施例で提供する触媒処理を行う方法を実現するためのものである。図４に示すように、本発明の実施例は、次のステップを含む。
【００３９】
ステップ４０１において、送入パイプにより被触媒物質を受け取る。
【００４０】
ステップ４０２において、矩形磁性体のＳＳ極、ＮＮ極によって、対応する磁界中心の磁力線が形成される矩形磁性体セットと、磁界中心から対応する磁界エッジまでの磁力を増強するための磁力増強柱と、磁界を磁界中心から対応する磁界エッジに伝導して集中させ、両端と中心壁との接続箇所の間の角度が９０度よりも大きい導磁片とを含み、ケースに内蔵された触媒ユニットにより、触媒装置の磁力を増強する。導磁片の両端と導磁片の中心壁との接続箇所の間の角度が９０度よりも大きく、導磁片は、特定の形状である。
特に、導磁片の両端と導磁片の中心壁との接続箇所の間の角度は９０度よりも大きいことを言明する。導磁片の両端と導磁片の中心壁との接続箇所の間の角度の範囲は、９１度〜１８０度の間であり、好ましい角度は１４５度である。上記のような構造は、触媒処理の効率を向上させ、被触媒物質の消費を減少させる。
【００４１】
このステップ４０２において、磁界中心の磁界はゼロに近づく傾向にあることを説明すべきである。
【００４２】
ステップ４０３において、送入パイプと接続されている送出パイプによって触媒処理によって得られた物質を送り出す。
【００４３】
被触媒物質のエキシマー状態での安定性をさらに向上させるために、送出ポートは、被触媒物質が触媒処理がすぐに行われていない状態に戻ることを回避するように、できるだけ発動機に近接すべきである。
【００４４】
本発明の実施例で提供する仮想光子触媒装置を用いて触媒処理を行う方法によれば、仮想光子触媒装置における触媒ユニットの磁力増強柱は、磁界中心から対応する磁界エッジまでの磁力を増強するためのものであり、触媒ユニットの導磁片は、磁界を磁界中心から対応する磁界エッジに伝導して集中させ、導磁片の両端と導磁片の中心壁との接続箇所の間の角度が９０度よりも大きい。特に、導磁片の両端と導磁片の中心壁との接続箇所の間の角度は、９０度よりも大きい。図１に示す仮想光子触媒装置を用いて触媒処理を行う方法により、磁界中心から磁界エッジまでの磁力を増強できるだけでなく、被触媒物質に対して触媒処理を行う効率を向上させ、被触媒物質を節約する目的を達成することもできる。
【００４５】
図５は、本発明の触媒装置の構造模式図を示す。ここで、１はアルミケースであり、２はネオジム磁性体であり、３は導磁柱であり、４は磁気シールドシートであり、５はガイド足であり、６は磁極片であり、７はストッパねじジャッキであり、８は止めねじであり、９はリベットである。
【００４６】
本発明の触媒装置は、磁界の仮想光子効果を利用するものである。量子力学によれば、純磁界及び純電界は仮想光子による効果であると考えられる。論理的に、光子は、全ての電磁作用を表わすための媒体である。本発明の触媒装置が適用する被触媒物質は、様々な油製品だけでなく、可燃ガス、可燃液体、アルコールなどのような可燃物も含む。
【００４７】
図５に示す構造から分かるように、本発明の触媒装置は、２組の対称となるケース１、ネオジム磁性体２、導磁柱３、磁気シールドシート４、ガイド足５、磁極片６を備え、ストッパねじジャッキ７により、止めねじ８が油通路上又はガス通路上に固定されている。
【００４８】
試験の結果から、本発明で提供する触媒装置の触媒能力が強く、触媒効率が高いので、燃料を節約し、燃料の節油率の範囲が２２．７８％〜２９．１０％であり、この触媒装置の最大節油率は、最高２９．１０％に達することができ、従来の触媒装置の最大節油率をはるかに超えたことが証明された。
【００４９】
上記した具体的な実施形態により、本発明の目的、技術方案及び有益な効果をさらに詳しく説明した。以上は、本発明の具体的な実施形態に過ぎず、本発明の保護範囲を限定するためのものではなく、本発明の精神及び原則を逸脱しない限り、全ての修正、等価代替、改善などは、いずれも本発明の保護範囲内に含まれるべきであることを理解すべきである。
【図１】
2019525825.tif 000003
【図２】
2019525825.tif 000004
【図３】
2019525825.tif 000005
【図４】
2019525825.tif 000006
【図５】
2019525825.tif 000007
【国際調査報告】
2019525825.tif 000008
2019525825.tif 000009
2019525825.tif 000010
2019525825.tif 000011
2019525825.tif 000012